(57)【特許請求の範囲】
【請求項１】
内部に火薬等が詰め込まれている円筒体の花火であって、円筒体の周囲に誘導翼をスライド可能に取りつけ、且つ、これらの誘導翼の外周には包み体が巻きつけてあることを特徴とする花火。
【請求項２】
請求項１の花火をホッパーに収納し、
そのホッパーの底部の排出口に対応して、花火を収納可能な溝を形成の回転体を設け、
その回転体を回転して発射台に搬送し、前記花火を点火して砲身を介して花火を発射する鳥獣撃退装置。
【請求項３】
砲身を所定の仰角又は所定方向で、花火を発射する請求項２の鳥獣撃退装置。
【請求項４】
花火に点火後に、点火具を前記花火の噴射炎に触れないように点火具を移動させる請求項２又は請求項３の鳥獣撃退装置。
【発明の詳細な説明】
【技術分野】
【０００１】
本願発明は、有害鳥獣に対して離れた所から威嚇する花火とその花火を発射する鳥獣撃退装置に関する。
【背景技術】
【０００２】
従来、鳥獣撃退装置として特許公報１があり、この公報には、硬質の円筒形状のものを砲身として、先端を挿入兼発射口、一本の途中開口部を点火口とし、手元を握り部分としたロケット花火等の発射装置が開示してある。
【先行技術文献】
【特許文献】
【０００３】
【特許文献１】特開２００７-９７５６４号公報
【発明の概要】
【発明が解決しようとする課題】
【０００４】
前記公報に開示の撃退装置は、手に持って花火等を発射させるものであり、人が鳥獣を見つけた後に行うものである。そのため、鳥獣を見つけることが問題であるし、手間暇がかかり、効率よく撃退する装置の出現が望まれている。
そこで、本願発明は、鳥獣が出没する場所に発射する花火とその花火を自動で発射して威嚇することができる鳥獣撃退装置を提供するものである。
【課題を解決するための手段】
【０００５】
請求項１の花火は、内部に火薬等が詰め込まれている円筒体の花火であって、円筒体の周囲に誘導翼をスライド可能に取りつけ、且つ、これらの誘導翼の外周には包み体が巻きつけてある。そして、花火が飛んでいる姿態は、誘導翼が下方にスライドした姿態であるので、花火は安定して飛ぶことができる。
又、請求項２の鳥獣撃退装置は、請求項１に記載の花火をホッパーに収納し、そのホッパーの底部の排出口に対応して、花火を収納可能な溝を形成の回転体が設けてある。そして、その回転体を回転して発射台に花火を搬送し、花火に点火して砲身を介して花火を発射する。
又、請求項３の鳥獣撃退装置は、砲身を所定の仰角又は所定方向に、花火を発射する。
又、請求項４の鳥獣撃退装置は、花火に点火後に、点火具を前記花火の噴射炎に触れないように点火具を移動させる。
【発明の効果】
【０００６】
本願の花火は、安定して飛翔することができるし、鳥獣撃退装置は目的に向かって花火を発射することができる。
【図面の簡単な説明】
【０００７】
【図１】（Ａ）はホッパーに収納状態の花火であり、（Ｂ）は飛んでいる姿態の花火の図である。
【図２】鳥獣撃退装置の正面断面図である。
【図３】図２の右側面断面図である。
【図４】砲身を所定の仰角にして花火を発射する状態図である。
【図５】（Ａ）（Ｂ）は図３の点火具における平面図であり、点火具の作動を示す図である。
【発明を実施するための形態】
【０００８】
本発明について、図面を参照して説明する。図１（Ａ）はホッパーに収納状態の花火１であり、図１（Ｂ）は飛んでいる姿態の花火１である。又、図２は鳥獣撃退装置の正面断面図であり、図３は右側面断面図である。また、図４は砲身１１を所定の仰角にして花火を発射する状態図であり、図５（Ａ）（Ｂ）は図３の点火具２２の平面図であり、点火具の移動を示す。
【０００９】
花火１は、内部に火薬等が詰め込まれている円筒体２であり、下部に点火線３が備えてある。又、この花火１は、安定して飛ぶために、周囲に同角度の４箇所に、ボール紙等で製作の先端が傾斜状の誘導翼４が円筒体２の外周でスライド可能に取りつけてあると共に、これらの誘導翼４の外周には、ボール紙等で製作の包み体５が巻きつけてある。
この包み体５が設けてあるのは、後述するホッパー１０に収納したとき、互いに重なり合わずに、１本毎、底部の排出口から排出できるためである。尚、前記誘導翼の数は、４個に限定されなし。
そして、前記点火線３に点火した後に、飛翔するときには、前記誘導翼４及び包み体５が下方向（点火線３方法）にスライドして、図１（Ｂ）に姿態となり、安定して飛翔する。
【００１０】
この鳥獣撃退装置５０は砲身１１を備えていて、その砲身１１は所定の仰角となり、且つ、花火１を所定の方向に向けて発射することができる。
また、この鳥獣撃退装置５０にはカバー（図示略）が取り付けてあり、そのカバーには鳥獣の姿を検出するレーザー式検出装置（図示略）や、音声方向を検出する音声検出装置（図示略）が備え付けてある。
そして、前記レーザー式検出装置や音声検出器で鳥獣を検出したときには、花火を発射する準備をする。
【００１１】
鳥獣撃退装置５０に配設の回転板１２は、図示略の回転駆動装置により回転し、前記レーザー式検出装置や音声検出器で鳥獣を検出した方向に、砲身１１を向ける制御をする。
また、この回転板１２には枠体１３が立設してあり、この枠体１３には後記で詳述する支持軸２９が設けてあり、砲身１１の仰角の設定をする。
ホッパー１０は平面視、四角状であり、前記花火１を積層可能な大きさである。又、そのホッパー１０の底部には、１本の花火１を排出可能な大きさの排出口が設けてあり、その排出口に対応して、その下部には、１本の花火１を受け入れるＵ字状の溝部１８を形成の回転体１５が、回動軸１７を介して設置してあり、回転モータ１６の駆動によって、ギア１６ａ、１６ｂを介して回転する。
【００１２】
尚、前記溝部１８に収納された花火１は、回転体１５の回転により、真下の発射台２０に搬送される。
また、この発射台２０の左部には、砲身１１が設けてあり、反対の右部には、前記花火１の点火線３に着火する点火具（例えば、ライター）２２が回動板２７に載置してあり（図５参照）、図示略の電池を電源として、スイッチにより点火具を熱する。尚、前記点火具は熱式であるが炎式であってもよい。
【００１３】
又、点火具２２は、着火するときには点火線３に対向した位置であり（図５（Ａ））、花火１の点火線３に着火したら、回動モータ２４を介して前記回動板２７を９０°時計方向に回動して、花火１の真後ろから移動して、火花１の噴射炎が点火具２２に触れないようにしてあり、点火具２２の掃除をする頻度の減少を図っている。
【００１４】
また、この鳥獣撃退装置５０は、図３に示すように、溝部１８に収納された花火１を、回転体１５の回転により発射台２０に搬送されるが、花火１を発射するときには、図４に示すように砲身１１を所定の仰角にセットする。
そのため、前記枠体１３には支持軸２９が設けてあり、前記回転体１５、ホッパー１０、砲身１１等が仰角モータ２８によって回動し、砲身１１を水平から所定の仰角にする（図２、図４）。そして、前記発射台２０の花火１は、点火具２２側に滑り落ちて、点火具２２により点火線３に着火可能になる。
【００１５】
次に、前記構成の鳥獣撃退装置の操作の一例について説明すると、この鳥獣撃退装置５０は、鳥獣が来る箇所に設置する。
そして、レーザー式検出装置や音声検出器で鳥獣を監視していて、鳥獣を検出したときには、花火１を発射する準備をする。
具体的には、先ず、回転板１２を、花火を発射する方向、即ち、鳥獣が出現した方向に、図示略の回転駆動装置により回転して砲身１１を向ける。
又、ホッパー１０に収納の花火１を排出口から、溝１８に受け入れて、回転体１５を回転させて発射台２０まで搬送する（図３）。そして、仰角モータ２８によって砲身１１を所定の仰角になるまで回動すると、花火１は点火具２２側に滑り落ちる（図４）。
そして、点火具２２を熱するために、図示略の電池のスイッチをいれ、この点火具２２により点火線３に着火すると、回動モータ２４を介して前記回動板２７を９０°時計方向に回動して（図５（Ｂ））、花火１の噴射炎が点火具２２に触れないようにして、花火１を発射台２０から砲身１１を通って発射する。
【００１６】
次に、同じ方向に、花火１を発射させるためには、砲身１１の仰角は同じであり、溝１８に受け入れた次の花火１を、回転体１５を回転して発射台２０まで搬送すると、花火１は点火具２２に滑り落ち、点火具２２による点火により、花火１が発射される。
以上の工程を繰り返すことによって、花火１は、次々と発射されるし、花火１の発射する方向を変更するときには、回転板１２を回転することによってなしえる。
尚、前記の工程は一例に過ぎず、常時、砲身１１を仰角に設定した状態で、花火１を回転体１５により発射台２０に搬送した後に、点火して発射するという工程であってもよく、設置場所等を考慮して選定できる。
【符号の説明】
【００１７】
１  花火
２  円筒体
３  点火線
４  誘導翼
５  包み体
１０  ホッパー
１１  砲身
１２  回転板
１５  回転体
１６  回転モータ
１８  溝部
２０  発射台
２２  点火具
２７  回動板
２８  仰角モータ
２９  支持軸
【図１】
0005535796.tif 000002
【図２】
0005535796.tif 000003
【図３】
0005535796.tif 000004
【図４】
0005535796.tif 000005
【図５】
0005535796.tif 000006